(57)【要約】【課題】油汚れに対して高い洗浄力を有し、かつ、抗菌性能に優れた液体洗浄剤を提供すること。【解決手段】（Ａ）成分：カチオン界面活性剤と、（Ｂ）成分：アルキレンテレフタレート単位及びアルキレンイソフタレート単位からなる群より選択される少なくとも一種の繰り返し単位（ｂ１）並びにオキシアルキレン単位（ｂ２）を有するポリマーと、（Ｃ）成分：両性界面活性剤及び半極性界面活性剤からなる群より選択される少なくとも一種と、を含有する、液体洗浄剤。【選択図】なし【特許請求の範囲】
【請求項１】
（Ａ）成分：カチオン界面活性剤と、
（Ｂ）成分：アルキレンテレフタレート単位及びアルキレンイソフタレート単位からなる群より選択される少なくとも一種の繰り返し単位（ｂ１）並びにオキシアルキレン単位（ｂ２）を有するポリマーと、
（Ｃ）成分：両性界面活性剤及び半極性界面活性剤からなる群より選択される少なくとも一種と、
を含有する、液体洗浄剤。
【発明の詳細な説明】
【技術分野】
【０００１】
本発明は、液体洗浄剤に関する。
【背景技術】
【０００２】
近年、家庭における衣料用洗剤として、液体洗浄剤が多く用いられるようになってきている。衣料用洗剤には、衣料等（被洗物）に付着した種々の汚れに対する洗浄力が必要である。中でも、特に、落ちにくい皮脂汚れ等の油汚れに対して高い洗浄力が求められる。
また、最近では、ドラム式洗濯機に代表される大容量洗濯機や節水型洗濯機が普及している。これに伴い、たくさんの被洗物がまとめて洗われたり、水が少ない低浴比の条件下で洗濯が行われたりするようになってきている。このような条件下で洗濯が行われた場合、洗浄中にいったん除去された汚れが再び被洗物に付着する、いわゆる再汚染が生じやすい。特に、ポリエステル等の疎水性の化学繊維においては、再汚染が生じやすく、油汚れを充分に除去しきれない、という問題があった。
これに対し、ポリエステル等の疎水性繊維に付着した疎水性汚れの除去を目的として、アルキレンテレフタレート単位及び／又はアルキレンイソフタレート単位、並びにオキシアルキレン単位及び／又はポリオキシアルキレン単位を有する水溶性ポリマーと、特定のエチレンオキシド付加体からなるノニオン界面活性剤と、有機酸又はその塩と、を含有する液体洗浄剤が開示されている（特許文献１参照）。
【０００３】
また、衛生に対する意識の高まりから、衣料用洗剤においても、洗浄効果に加えて抗菌効果を付与した製品が上市されている。抗菌効果を奏する有効成分としては、カチオン界面活性剤等のカチオン系殺菌剤が広く用いられている。
尚、本明細書において「抗菌効果」とは、菌の増殖を抑える効果を意味する。抗菌効果が高いほど、被洗物を防臭する効果等が高くなる。
【先行技術文献】
【特許文献】
【０００４】
【特許文献１】特開２００９−１５５６０６号公報
【発明の概要】
【発明が解決しようとする課題】
【０００５】
しかしながら、特許文献１に記載の液体洗浄剤に、カチオン系殺菌剤として単にカチオン界面活性剤を加えた場合、油汚れに対する洗浄力が低下するという問題があった。
本発明は、上記事情に鑑みてなされたものであり、油汚れに対して高い洗浄力を有し、かつ、抗菌性能に優れた液体洗浄剤を提供することを課題とする。
【課題を解決するための手段】
【０００６】
本発明者らは鋭意検討した結果、上記課題を解決するために以下の手段を提供する。
すなわち、本発明の液体洗浄剤は、（Ａ）成分：カチオン界面活性剤と、（Ｂ）成分：アルキレンテレフタレート単位及びアルキレンイソフタレート単位からなる群より選択される少なくとも一種の繰り返し単位（ｂ１）並びにオキシアルキレン単位（ｂ２）を有するポリマーと、（Ｃ）成分：両性界面活性剤及び半極性界面活性剤からなる群より選択される少なくとも一種と、を含有することを特徴とする。
【発明の効果】
【０００７】
本発明の液体洗浄剤は、油汚れに対して高い洗浄力を有し、かつ、抗菌性能に優れる。
【発明を実施するための形態】
【０００８】
本発明の液体洗浄剤は、（Ａ）成分：カチオン界面活性剤と、（Ｂ）成分：アルキレンテレフタレート単位及びアルキレンイソフタレート単位からなる群より選択される少なくとも一種の繰り返し単位（ｂ１）並びにオキシアルキレン単位（ｂ２）を有するポリマーと、（Ｃ）成分：両性界面活性剤及び半極性界面活性剤からなる群より選択される少なくとも一種と、を含有する。
本発明の液体洗浄剤は、家庭用、工業用の用途として利用可能であり、なかでも家庭用として好適に利用可能であり、衣料用として特に好適である。
洗浄対象となる被洗物の種類は、家庭における洗濯で洗浄対象とされているものと同様のものが挙げられ、例えば衣料、布巾、タオル類、シーツ等の繊維製品などが例示される。
【０００９】
＜（Ａ）成分：カチオン界面活性剤＞
本発明の液体洗浄剤においては、主として（Ａ）成分を含有することで、抗菌性能が付与される。
（Ａ）成分には、例えば、第４級アンモニウム塩などを用いることができる。
第４級アンモニウム塩としては、通常、衣料用洗剤に用いられている従来公知のものが挙げられる。中でも、好ましい第４級アンモニウム塩としては、高い抗菌効果が得られやすいことから、下記の一般式（Ａ−１）、（Ａ−２）又は（Ａ−３）で表される化合物が挙げられる。
【００１０】
【化１】
2015203101.tif 000002
［式（Ａ−１）中、Ｒ１〜Ｒ４のうちの２つ以上は、それぞれ独立して、炭素数１〜３のアルキル基、又は炭素数１〜３のヒドロキシアルキル基であり、それ以外は、炭素数８〜２２の直鎖状もしくは分岐鎖状のアルキル基、又は炭素数８〜２２の直鎖状もしくは分岐鎖状のアルケニル基である。Ｚ−は、ハロゲンイオン又はアルキル硫酸イオンである。］
【００１１】
前記式（Ａ−１）で表される化合物（以下「（Ａ−１）成分」ともいう）の中で好ましいものとしては、例えば以下に示す（Ａ−１−１）成分、（Ａ−１−２）成分が挙げられる。
【００１２】
（Ａ−１−１）成分：Ｒ１〜Ｒ３の３つが、それぞれ独立して、炭素数１〜３のアルキル基又は炭素数１〜３のヒドロキシアルキル基であり、Ｒ４が、炭素数８〜２２の直鎖状もしくは分岐鎖状のアルキル基、又は炭素数８〜２２の直鎖状もしくは分岐鎖状のアルケニル基である化合物。
前記（Ａ−１−１）成分において、Ｒ１〜Ｒ３は、それぞれ独立して、炭素数１〜３のアルキル基であることが好ましく、メチル基であることがより好ましい。中でも、Ｒ１〜Ｒ３がいずれもメチル基である（Ａ−１−１）成分が好ましい。
Ｒ４のアルキル基又はアルケニル基において、炭素数は８〜２２であり、１０〜２０であることが好ましく、１２〜１８であることがより好ましく、１２〜１６であることがさらに好ましい。また、Ｒ４は、直鎖状もしくは分岐鎖状のアルキル基であることが好ましく、直鎖状のアルキル基であることがより好ましい。
【００１３】
（Ａ−１−２）成分：Ｒ１及びＲ２が、それぞれ独立して、炭素数８〜２２の直鎖状もしくは分岐鎖状のアルキル基、又は炭素数８〜２２の直鎖状もしくは分岐鎖状のアルケニル基であり、Ｒ３及びＲ４が、それぞれ独立して、炭素数１〜３のアルキル基又は炭素数１〜３のヒドロキシアルキル基である化合物。
前記（Ａ−１−２）成分において、Ｒ１及びＲ２のアルキル基又はアルケニル基において、炭素数は８〜２２であり、８〜１２であることが好ましく、８〜１０であることがより好ましい。また、Ｒ１及びＲ２は、それぞれ独立して、直鎖状もしくは分岐鎖状のアルキル基であることが好ましく、直鎖状のアルキル基であることがより好ましい。中でも、Ｒ１及びＲ２がいずれも直鎖状のアルキル基である（Ａ−１−２）成分が好ましい。
Ｒ３及びＲ４は、それぞれ独立して、炭素数１〜３のアルキル基であることが好ましく、メチル基であることがより好ましい。中でも、Ｒ３及びＲ４がいずれもメチル基である（Ａ−１−２）成分が好ましい。
【００１４】
前記式（Ａ−１）中、ハロゲンイオンを構成するＺとしては、フッ素原子、塩素原子、臭素原子、ヨウ素原子等が挙げられ、塩素原子が好ましい。アルキル硫酸イオンを構成するＺとしては、炭素数１〜３のアルキル基を有するものが好ましく、例えばメチル硫酸等が挙げられる。
【００１５】
（Ａ−１）成分として具体的には、塩化アルキル（炭素数１２〜１６）トリメチルアンモニウム、塩化ジデシルジメチルアンモニウム等が挙げられる。
【００１６】
【化２】
2015203101.tif 000003
［式（Ａ−２）中、Ｒ５は、炭素数８〜２２の直鎖状もしくは分岐鎖状のアルキル基、又は炭素数８〜２２の直鎖状もしくは分岐鎖状のアルケニル基である。Ｒ６は、炭素数１〜３のアルキル基、炭素数１〜３のヒドロキシアルキル基、又は炭素数５〜２０の芳香族炭化水素基である。ｘ及びｙは、オキシエチレン基の平均繰り返し数を示し、それぞれ独立して０以上の整数であって、ｘ＋ｙが１０以上である。Ｚ−は、ハロゲンイオン又はアルキル硫酸イオンである。］
【００１７】
前記式（Ａ−２）中、Ｒ５のアルキル基又はアルケニル基において、炭素数は８〜２２であり、１０〜２２であることが好ましく、１０〜１８であることがより好ましい。また、Ｒ５は、直鎖状もしくは分岐鎖状のアルキル基であることが好ましく、直鎖状のアルキル基であることがより好ましい。
Ｒ６における芳香族炭化水素基の炭素数は、５〜２０であり、６〜１０であることが好ましい。Ｒ６としては、フェニル基、メチルフェニル基（トリル基）、ジメチルフェニル基、トリメチルフェニル基、テトラメチルフェニル基、ナフチル基等が挙げられる。
ｘ＋ｙは、１０以上であり、好ましくは１０〜５０である。ｘ＋ｙが１０未満では、被洗物に付着している汚れの分散効果が小さく、被洗物からの汚れ除去効果が得られにくくなることがある。
Ｚ−は、前記式（Ａ−１）におけるＺ−と同様のものが挙げられる。
【００１８】
前記式（Ａ−２）で表される化合物（以下「（Ａ−２）成分」ともいう）の中で好ましいものとしては、Ｒ５が炭素数１０〜１８の直鎖状もしくは分岐鎖状のアルキル基、又は炭素数１０〜１８の直鎖状もしくは分岐鎖状のアルケニル基であり、Ｒ６がメチル基又はトリル基であり、ｘ＋ｙが１０以上であり、Ｚ−がハロゲンイオン又はアルキル硫酸イオンである化合物等が挙げられる。
【００１９】
【化３】
2015203101.tif 000004
［式（Ａ−３）中、Ｒ７及びＲ８は、それぞれ独立して、炭素数１〜３のアルキル基又は炭素数１〜３のヒドロキシアルキル基であり、Ｒ９は、炭素数８〜２２の直鎖状もしくは分岐鎖状のアルキル基又はアルケニル基であり、Ｒ１０は、炭素数１〜３のアルキレン基である。Ｚ−は、ハロゲンイオン又はアルキル硫酸イオンである。］
【００２０】
前記式（Ａ−３）中、Ｒ７及びＲ８は、それぞれ独立して、炭素数１〜３のアルキル基であることが好ましく、メチル基であることがより好ましい。中でも、Ｒ７及びＲ８がいずれもメチル基である化合物が好ましい。
Ｒ９のアルキル基又はアルケニル基において、炭素数は８〜２２であり、１０〜１８であることが好ましく、１２〜１４であることがより好ましい。また、Ｒ９は、直鎖状もしくは分岐鎖状のアルキル基であることが好ましく、直鎖状のアルキル基であることがより好ましい。
Ｒ１０は、炭素数１〜３のアルキレン基であり、メチレン基であることが好ましい。
Ｚ−は、前記式（Ａ−１）におけるＺ−と同様のものが挙げられる。
【００２１】
前記式（Ａ−３）で表される化合物（以下「（Ａ−３）成分」ともいう）の中で好ましいものとしては、Ｒ７及びＲ８がいずれもメチル基であり、Ｒ９が炭素数８〜２２の直鎖状もしくは分岐鎖状のアルキル基であり、Ｒ１０はメチレン基であり、Ｚ−がハロゲンイオン又はアルキル硫酸イオンである化合物等が挙げられる。
【００２２】
（Ａ）成分は、１種を単独で用いてもよく、２種以上を併用してもよい。
（Ａ）成分の中でも、上述の（Ａ−１）成分、（Ａ−２）成分及び（Ａ−３）成分からなる群より選択される少なくとも１種を用いることが好ましく、（Ａ−１）成分及び（Ａ−３）成分からなる群より選択される少なくとも１種を用いることがより好ましく、（Ａ−１）成分を用いることがさらに好ましい。
液体洗浄剤中、（Ａ）成分の含有量は、液体洗浄剤の総質量に対して０．２〜１０質量％が好ましく、より好ましくは０．５〜６質量％であり、さらに好ましくは０．５〜４質量％である。
（Ａ）成分の含有量が、前記の好ましい下限値未満では、抗菌効果が得られにくくなり、一方、前記の好ましい上限値を超えると、被洗物への汚れの移染又は再汚染が生じやすくなる。
【００２３】
＜（Ｂ）成分：特定の繰り返し単位（ｂ１）とオキシアルキレン単位（ｂ２）とを有するポリマー＞
本発明において、（Ｂ）成分は、アルキレンテレフタレート単位及びアルキレンイソフタレート単位からなる群より選択される少なくとも一種の繰り返し単位（ｂ１）並びにオキシアルキレン単位（ｂ２）を有するポリマーである。
尚、本明細書において、「繰り返し単位」とは、重合体を構成するモノマー単位を示す。
本発明の液体洗浄剤においては、主として（Ｂ）成分を含有することで、油汚れに対する洗浄力が高くなる。
【００２４】
・特定の繰り返し単位（ｂ１）について
特定の繰り返し単位（ｂ１）のうち、アルキレンテレフタレート単位（以下この繰り返し単位を「繰り返し単位（ｂ１１）」ともいう）としては、下記一般式（ｂ１−１）で表される繰り返し単位が挙げられる。
【００２５】
【化４】
2015203101.tif 000005
【００２６】
前記式（ｂ１−１）中、Ｒ２１は、低級アルキレン基である。Ｒ２１における低級アルキレン基の炭素数は、５以下が好ましく、より好ましくは４以下であり、さらに好ましくは２〜４である。
繰り返し単位（ｂ１１）として具体的には、エチレンテレフタレート単位、プロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位等が挙げられる。中でも、プロピレンテレフタレート単位が好ましい。
【００２７】
特定の繰り返し単位（ｂ１）のうち、アルキレンイソフタレート単位（以下この繰り返し単位を「繰り返し単位（ｂ１２）」ともいう）としては、下記一般式（ｂ１−２）で表される繰り返し単位が挙げられる。
【００２８】
【化５】
2015203101.tif 000006
【００２９】
前記式（ｂ１−２）中、Ｒ２２は、低級アルキレン基である。Ｒ２２における低級アルキレン基の炭素数は、５以下が好ましく、より好ましくは４以下であり、さらに好ましくは２〜４である。
繰り返し単位（ｂ１２）として具体的には、エチレンイソフタレート単位、プロピレンイソフタレート単位、ｎ−ブチレンイソフタレート単位、ｓｅｃ−ブチレンイソフタレート単位、ｔｅｒｔ−ブチレンイソフタレート単位等が挙げられる。中でも、プロピレンイソフタレート単位が好ましい。
【００３０】
繰り返し単位（ｂ１）は、１種を単独で用いてもよく、２種以上を併用してもよい。すなわち、（Ｂ）成分は、その１分子中に、繰り返し単位（ｂ１）として、繰り返し単位（ｂ１１）のみを有していてもよく、繰り返し単位（ｂ１２）のみを有していてもよく、繰り返し単位（ｂ１１）と繰り返し単位（ｂ１２）との両方を有していてもよい。また、繰り返し単位（ｂ１１）を２種以上、及び／又は、繰り返し単位（ｂ１２）を２種以上有していてもよい。
【００３１】
（Ｂ）成分における１分子中、繰り返し単位（ｂ１）の繰り返し数は、１〜１０であることが好ましく、より好ましくは１〜６であり、さらに好ましくは２〜４である。
繰り返し単位（ｂ１）の繰り返し数が、前記の好ましい下限値以上であると、油汚れに対する洗浄力がより向上し、一方、前記の好ましい上限値以下であると、液体洗浄剤としての液安定性がより向上する。
【００３２】
・オキシアルキレン単位（ｂ２）について
オキシアルキレン単位（以下この繰り返し単位を「繰返し単位（ｂ２）」ともいう）としては、下記一般式（ｂ２−１）で表される繰り返し単位が挙げられる。
【００３３】
【化６】
2015203101.tif 000007
【００３４】
前記式（ｂ２−１）中、Ｒ２３は、低級アルキレン基である。Ｒ２３における低級アルキレン基の炭素数は、４以下が好ましく、より好ましくは２〜４であり、さらに好ましくは２又は３であり、特に好ましくは２である。
繰り返し単位（ｂ２）として具体的には、オキシエチレン単位、オキシプロピレン単位、オキシブチレン単位等が挙げられる。中でも、オキシエチレン単位、オキシプロピレン単位が好ましく、オキシエチレン単位がより好ましい。
【００３５】
繰り返し単位（ｂ２）は、１種を単独で用いてもよく、２種以上を併用してもよい。すなわち、（Ｂ）成分は、その１分子中に、繰り返し単位（ｂ２）として、例えば、オキシエチレン単位のみを有していてもよく、オキシプロピレン単位のみを有していてもよく、オキシエチレン単位とオキシプロピレン単位との両方を有していてもよい。中でも、オキシエチレン単位のみを有していることが好ましい。
【００３６】
（Ｂ）成分における１分子中、繰り返し単位（ｂ２）の繰り返し数は、１以上であり、好ましくは５〜１５０であり、より好ましくは１０〜１００である。
繰り返し単位（ｂ２）の繰り返し数が、前記の好ましい下限値以上であると、液体洗浄剤としての液安定性がより向上し、一方、前記の好ましい上限値以下であると、油汚れに対する洗浄力がより向上する。
【００３７】
また、（Ｂ）成分は、その１分子中に、繰り返し単位（ｂ２）として、オキシアルキレン基（繰り返し数が１の場合）のみを有していてもよく、ポリオキシアルキレン単位（繰り返し数が２以上の場合）のみを有していてもよく、オキシアルキレン基とポリオキシアルキレン単位との両方を有していてもよい。
【００３８】
（Ｂ）成分は、繰り返し単位（ｂ１）と繰り返し単位（ｂ２）とがブロック状又はランダム状に重合しているポリマーであることが好ましく、ブロック状に重合しているポリマーであることがより好ましい。
【００３９】
（Ｂ）成分は、繰り返し単位（ｂ１）及び繰り返し単位（ｂ２）に加えて、その他の繰り返し単位を有していてもよい。その他の繰り返し単位としては、重合開始剤や重合停止剤等に由来する繰り返し単位、繰返し単位（ｂ１）又は繰返し単位（ｂ２）を提供するモノマーと共重合可能なモノマーに由来する繰り返し単位等が挙げられる。
（Ｂ）成分中にその他の繰り返し単位を有する場合、繰り返し単位（ｂ１）と繰り返し単位（ｂ２）との合計は、（Ｂ）成分を構成する全部の繰り返し単位の合計に対して、８０モル％以上であることが好ましく、９０モル％以上であることがより好ましい。繰り返し単位（ｂ１）と繰り返し単位（ｂ２）との合計が、前記の好ましい下限値以上であると、油汚れに対する洗浄力が高まる。また、被洗物への再汚染がより生じにくくなる。
【００４０】
（Ｂ）成分は、それ自体の溶解性と液体洗浄剤の液安定性の点から、水溶性ポリマーであることが好ましい。
ここでいう「水溶性ポリマー」とは、１リットルビーカー内で、ポリマー１０ｇを、４０℃の条件で、水１０００ｇに添加し、スターラー（太さ８ｍｍ、長さ５０ｍｍ）により１２時間撹拌（２００ｒｐｍ）した後に溶解しているものをいう。
【００４１】
（Ｂ）成分の重量平均分子量は、水への溶解分散性が高まることから、好ましい下限値が５００以上であり、より好ましくは８００以上であり、さらに好ましくは１０００以上である。一方、好ましい上限値が１００００以下であり、より好ましくは８０００以下であり、さらに好ましくは７０００以下である。（Ｂ）成分の重量平均分子量が、前記の好ましい範囲であれば、水への溶解分散性がより向上し、油汚れに対して充分な洗浄力が得られやすくなる。
ここでいう「重量平均分子量」は、溶媒としてＴＨＦ（テトラヒドロフラン）を用いてＧＰＣ（ゲルパーミネーションクロマトグラフィー）により測定した値を、ＰＥＧ（ポリエチレングリコール）における較正曲線に基づいて換算した値を示す。
【００４２】
（Ｂ）成分は、各種の文献、教科書及び特許等に開示されている合成方法、例えば、Ｊｏｕｒｎａｌ  ｏｆ  Ｐｏｌｙｍｅｒ  Ｓｃｉｅｎｃｅ，第３巻，６０９〜６３０ページ（１９４８年）；Ｊｏｕｒｎａｌ  ｏｆ  Ｐｏｌｙｍｅｒ  Ｓｃｉｅｎｃｅ，第８巻，１〜２２ページ（１９５１年）；特開昭６１−２１８６９９号公報に記載の方法等により製造することができる。
【００４３】
（Ｂ）成分の好適な具体例としては、下記の一般式（Ｂ−ｐ１）で表される高分子、一般式（Ｂ−ｐ２）で表される高分子、又はこれらの混合物を含むものが挙げられる。
【００４４】
【化７】
2015203101.tif 000008
【００４５】
前記式（Ｂ−ｐ１）、（Ｂ−ｐ２）中、Ｒ２０及びＲ３０は、それぞれ独立して水素原子又はメチル基であり、それぞれメチル基であることが好ましく、いずれもメチル基であることがより好ましい。
Ｒ２４及びＲ２７は、それぞれメチル基又は水素原子であり、それぞれメチル基であることが好ましい。
Ｒ２５、Ｒ２６、Ｒ２８及びＲ２９は、それぞれ独立して、炭素数２〜４のアルキレン基である。
ｓ１及びｓ２は、それぞれ０〜１０であり、好ましくは０．５〜５であり、より好ましくは０．５〜２．５である。ｔ１、ｔ２、ｕ１及びｕ２は、それぞれ独立して１〜１００であり、好ましくは１〜８０であり、より好ましくは１〜５０である。ｓ１、ｓ２、ｔ１、ｔ２、ｕ１及びｕ２が前記の範囲であると、水に対する溶解性がより向上し、また、油汚れに対する洗浄力がより高まる。
【００４６】
（Ｂ）成分は、１種を単独で用いてもよく、２種以上を併用してもよい。
（Ｂ）成分の具体例としては、商品名ＴｅｘＣａｒｅ  ＳＲＮ−１００（ドイツ、Ｃｌａｒｉａｎｔ Ｇｍｂ Ｈ製、重量平均分子量３０００）、商品名ＴｅｘＣａｒｅ  ＳＲＮ−３００（ドイツ、Ｃｌａｒｉａｎｔ Ｇｍｂ Ｈ製、重量平均分子量７０００）等の市販されているものが挙げられる。
これらの中では、水への溶解性が高く、透明感の高い液体洗浄剤が得られやすいことから、ＴｅｘＣａｒｅ  ＳＲＮ−１００が好ましい。
【００４７】
液体洗浄剤中、（Ｂ）成分の含有量は、液体洗浄剤の総質量に対して０．０５〜５質量％であることが好ましく、より好ましくは０．１〜２質量％である。
（Ｂ）成分の配合量が下限値以上であると、油汚れに対する洗浄力がより高まる。一方、前記の好ましい上限値超では、油汚れに対する洗浄力向上の効果は頭打ちとなる。また、抗菌効果が得られにくくなる。
【００４８】
＜（Ｃ）成分：両性界面活性剤及び半極性界面活性剤からなる群より選択される少なくとも一種＞
本発明の液体洗浄剤においては、（Ｃ）成分を含有することで、（Ｂ）成分に（Ａ）成分を組み合わせても、油汚れに対する洗浄力が維持される。
（Ｃ）成分としては、通常、衣料用洗剤に用いられている従来公知のものが挙げられる。
【００４９】
・両性界面活性剤について
両性界面活性剤としては、例えば、アルキルカルボベタイン、アルキルスルホベタイン、アルキルアミドヒドロキシスルホベタイン、アルキルアミドアミン型ベタイン、アルキルイミダゾリン型ベタイン等が挙げられる。
中でも、好ましい両性界面活性剤としては、上述の（Ｃ）成分の配合効果がより得られやすいことから、下記一般式（Ｃ−１）で表される化合物が挙げられる。
【００５０】
【化８】
2015203101.tif 000009
［式（Ｃ−１）中、Ｒ３１は、炭素数８〜１８の炭化水素基である。Ｒ３２は及びＲ３３は、それぞれ独立して炭素数１〜３のアルキル基又はヒドロキシアルキル基である。Ｒ３４は、置換基としてヒドロキシ基を有していてもよい炭素数１〜５のアルキレン基である。Ｒ３４−Ｒ３５は、Ｒ３４−ＳＯ３−、Ｒ３４−ＯＳＯ３−、又はＲ３４−ＣＯＯ−である。Ｒ３７は、炭素数１〜６のアルキレン基である。−Ｒ３６−Ｒ３７−は、−Ｃ（＝Ｏ）Ｏ−Ｒ３７−、−Ｃ（＝Ｏ）ＮＨ−Ｒ３７−、−ＯＣ（＝Ｏ）−Ｒ３７−、−ＮＨＣ（＝Ｏ）−Ｒ３７−、又は−Ｏ−Ｒ３７−である。ｊは、０又は１の数である。］
【００５１】
前記式（Ｃ−１）中、Ｒ３１は、炭素数８〜１８の炭化水素基である。Ｒ３１における炭化水素基としては、アルキル基又はアルケニル基が好ましく、アルキル基がより好ましい。Ｒ３１における炭化水素基の炭素数は、８〜１８であり、好ましくは炭素数９〜１７であり、より好ましくは炭素数１０〜１６である。
Ｒ３２は及びＲ３３は、それぞれ独立して炭素数１〜３のアルキル基又はヒドロキシアルキル基であり、それぞれエチル基又はヒドロキシエチル基であることが好ましく、それぞれメチル基であることがより好ましい。
Ｒ３４は、置換基としてヒドロキシ基を有していてもよい炭素数１〜５のアルキレン基であり、中でも、置換基としてヒドロキシ基を有していてもよい炭素数１〜３のアルキレン基が好ましい。
Ｒ３４−Ｒ３５は、Ｒ３４−ＳＯ３−、Ｒ３４−ＯＳＯ３−、又はＲ３４−ＣＯＯ−であり、好ましくはＲ３４−ＣＯＯ−である。
Ｒ３７は、炭素数１〜６のアルキレン基である。
−Ｒ３６−Ｒ３７−は、−Ｃ（＝Ｏ）Ｏ−Ｒ３７−、−Ｃ（＝Ｏ）ＮＨ−Ｒ３７−、−ＯＣ（＝Ｏ）−Ｒ３７−、−ＮＨＣ（＝Ｏ）−Ｒ３７−、又は−Ｏ−Ｒ３７−である。
ｊは、０又は１の数であり、好ましくは０である。
【００５２】
・半極性界面活性剤について
本明細書において、「半極性界面活性剤」とは、半極性結合（無極性結合及び極性結合の中間の性質を有する結合）を有する界面活性剤であり、半極性界面活性剤が溶解する溶液又は分散する分散液のｐＨにより、陽イオン性、陰イオン性、又は両極性となるものをいう。
好ましい半極性界面活性剤としては、アミンアルキレンオキシド型界面活性剤、アミンオキシド型界面活性剤などが挙げられる。中でも、油汚れに対する洗浄力及び泡立ちが良好であることから、アミンオキシド型界面活性剤が好ましい。
【００５３】
（Ｃ）成分は、１種を単独で用いてもよく、２種以上を併用してもよい。
（Ｃ）成分の中でも、上述の（Ｃ）成分の配合効果がより得られやすいことから、両性界面活性剤を用いることが好ましく、アルキルカルボベタインを用いることがより好ましく、アルキル（好ましくは炭素数１０〜１６）ジメチルアミノ酢酸ベタイン、脂肪酸（好ましくは炭素数９〜１７）アミドプロピルベタインが特に好ましい。
液体洗浄剤中、（Ｃ）成分の含有量は、液体洗浄剤の総質量に対して０．０１〜６質量％が好ましく、より好ましくは０．０３〜４質量％であり、さらに好ましくは０．０４〜２質量％であり、特に好ましくは０．１〜１質量％である。
（Ｃ）成分の含有量が、前記の好ましい下限値未満では、上述の（Ｃ）成分の配合効果が得られにくくなり、一方、前記の好ましい上限値を超えると、液体洗浄剤としての液安定性が低下しやすくなる。また、抗菌効果が得られにくくなる。
【００５４】
液体洗浄剤中の（Ａ）成分と（Ｃ）成分との混合比率は、（Ｃ）成分／（Ａ）成分で表されるモル比が、好ましくは０．０１〜２であり、より好ましくは０．０２〜１であり、さらに好ましくは０．０３〜０．６であり、特に好ましくは０．０５〜０．６であり、最も好ましくは０．１〜０．５である。
（Ｃ）成分／（Ａ）成分で表されるモル比が、前記の範囲内であれば、油汚れに対する洗浄力と、抗菌性能と、の両立がより図れる。また、（Ｃ）成分／（Ａ）成分で表されるモル比が、前記の好ましい下限値以上であれば、油汚れに対する洗浄力がより高まり、一方、前記の好ましい上限値以下であれば、抗菌効果がより得られやすくなる。
本明細書において、「（Ｃ）成分／（Ａ）成分で表されるモル比」とは、液体洗浄剤に含まれる（Ａ）成分の含有量（モル数）に対する、（Ｃ）成分の含有量（モル数）の割合を意味する。
【００５５】
液体洗浄剤中の（Ｂ）成分と（Ｃ）成分との混合比率は、（Ｃ）成分／（Ｂ）成分で表される質量比が、好ましくは０．０１〜４であり、より好ましくは０．０４〜２であり、さらに好ましくは０．０７〜１．５であり、特に好ましくは０．１５〜１であり、最も好ましくは０．２〜０．５である。
（Ｃ）成分／（Ｂ）成分で表される質量比が、前記の範囲内であれば、油汚れに対する洗浄力と、抗菌性能と、の両立がより図れる。また、（Ｃ）成分／（Ｂ）成分で表される質量比が、前記の好ましい下限値以上であれば、油汚れに対する洗浄力がより維持されやすくなり、一方、前記の好ましい上限値以下であれば、油汚れに対する洗浄力がより高まる。加えて、抗菌性能がより高まる。
本明細書において、「（Ｃ）成分／（Ｂ）成分で表される質量比」とは、液体洗浄剤に含まれる（Ｂ）成分の含有量（質量％）に対する、（Ｃ）成分の含有量（質量％）の割合を意味する。
【００５６】
＜溶媒＞
本発明の液体洗浄剤は、液体洗浄剤の調製しやすさ、使用する際の水への溶解性等の観点から、溶媒として水を含有することが好ましい。液体洗浄剤中の水の含有量は、液体洗浄剤の総質量に対して９０質量％以下が好ましい。
水の含有量が、前記の好ましい上限値以下であれば、液粘度が適度に低くなり、使用性の観点から良好となる。
【００５７】
＜任意成分＞
本発明の液体洗浄剤には、本発明の効果を損なわない範囲で必要に応じて、上述した成分以外のその他の成分を含有してもよい。
その他の成分としては、特に限定されず、通常、衣料用の液体洗浄剤に配合される成分が挙げられ、例えばノニオン界面活性剤、アニオン界面活性剤、溶剤、漂白成分、金属捕捉成分、ラジカルトラップ剤、香料、ｐＨ調整剤などを用いることができる。
【００５８】
・ノニオン界面活性剤について
本発明の液体洗浄剤においては、皮脂汚れ等の油汚れに対する洗浄成分として、ノニオン界面活性剤を用いることができる。ノニオン界面活性剤としては、通常、衣料用洗剤に用いられている従来公知のものが挙げられる。中でも、好ましいノニオン界面活性剤として、下記一般式（ｎｓ−１）で表される化合物が挙げられる。
【００５９】
【化９】
2015203101.tif 000010
【００６０】
前記式（ｎｓ−１）中、Ｒ４０は、炭素数１０〜１８の炭化水素基である。
Ｒ４０における炭化水素基としては、アルキル基、アルケニル基等が挙げられる。これらのアルキル基、アルケニル基等は、置換基としてヒドロキシ基等を有していてもよい。また、Ｒ４０における炭化水素基は、直鎖状であってもよく、分岐鎖状であってもよい。
Ｒ４０における炭化水素基の炭素数は、洗浄力向上の点から、１２〜１８が好ましい。
前記式（ｎｓ−１）中、ｋは、オキシエチレン基の平均繰り返し数を示し、２〜２０の数である。ｋが２未満では、ノニオン界面活性剤としての機能が発揮されにくくなる。そのため、ノニオン界面活性剤としての機能を充分に発揮させるには、ｋの値は大きい方が好ましい。その一方、ｋが２０を超えると、ＨＬＢが高くなり過ぎて洗浄力が低下する傾向がある。
ノニオン界面活性剤は、１種を単独で用いてもよく、２種以上を併用してもよい。
液体洗浄剤中、ノニオン界面活性剤の含有量は、液体洗浄剤の総質量に対して１〜１８質量％が好ましく、より好ましくは３〜１０質量％である。ノニオン界面活性剤の含有量が、前記の好ましい下限値以上であると、油汚れに対する洗浄力がより高まり、一方、前記の好ましい上限値以下であると、液体洗浄剤の透明外観が維持されやすくなり、また、洗濯等を行う際に計量しやすい。
【００６１】
・アニオン界面活性剤について
本発明の液体洗浄剤においては、タンパク汚れに対する洗浄成分として、又は低温時の安定性向上の点から、アニオン界面活性剤を用いることができる。
アニオン界面活性剤としては、通常、衣料用洗剤に用いられている従来公知のものが挙げられ、例えば、直鎖アルキルベンゼンスルホン酸塩、α−オレフィンスルホン酸塩、直鎖状又は分岐鎖状のアルキル硫酸エステル塩、アルキルエーテル硫酸エステル塩又はアルケニルエーテル硫酸エステル塩、アルキル基を有するアルカンスルホン酸塩、α−スルホ脂肪酸エステル塩等が挙げられる。これらの中でも、直鎖アルキルベンゼンスルホン酸塩、アルキル基を有するアルカンスルホン酸塩が好ましい。
直鎖アルキルベンゼンスルホン酸塩としては、直鎖状アルキル基の炭素数が８〜１６のものが好ましく、炭素数１０〜１４のものがより好ましい。
アルキル基を有するアルカンスルホン酸塩としては、炭素数１０〜２０のものが好ましく、より好ましくは炭素数１４〜１７のアルキル基を有する２級アルカンスルホン酸塩である。
アニオン界面活性剤は、１種を単独で用いてもよく、２種以上を併用してもよい。
尚、本発明の液体洗浄剤においては、アニオン界面活性剤を含有することにより、（Ａ）成分又は（Ｃ）成分と、アニオン界面活性剤と、の複合体が形成され、これによって抗菌性能が発現しにくくなるおそれがある。このため、アニオン界面活性剤を併用する場合、アニオン界面活性剤の含有量を、液体洗浄剤の総質量に対して９質量％以下とすることが好ましい。アニオン界面活性剤の含有量が、前記の好ましい上限値以下であれば、油汚れに対する洗浄力及び抗菌性能を維持しつつ、タンパク汚れに対する洗浄力を高めることができる。
【００６２】
・溶剤について
本発明の液体洗浄剤には、液外観の安定性向上の点から、水以外の溶剤を用いてもよい。
水以外の溶剤としては、水混和性の有機溶剤が挙げられる。「水混和性の有機溶剤」とは、２５℃のイオン交換水１Ｌに５０ｇ以上溶解する有機溶剤をいう。
水混和性の有機溶剤としては、エタノール、１−プロパノール、２−プロパノール、１−ブタノール等のアルコール類；プロピレングリコール、ブチレングリコール、ヘキシレングリコール等のグリコール類；ジエチレングリコール、トリエチレングリコール、テトラエチレングリコール、重量平均分子量が約２００のポリエチレングリコール、重量平均分子量が約４００のポリエチレングリコール、ジプロピレングリコール等のポリグリコール類；ジエチレングリコールモノメチルエーテル、ジエチレングリコールジメチルエーテル等のアルキルエーテル類などが挙げられる。
水以外の溶剤は、１種を単独で用いてもよく、２種以上を併用してもよい。
液体洗浄剤中、水以外の溶剤の含有量は、液体洗浄剤の総質量に対して０．１〜１５質量％が好ましい。
【００６３】
・漂白成分について
本発明の液体洗浄剤においては、漂白機能もしくは消臭機能の付与、又は塗布洗浄力の向上の点から、漂白成分として過酸化水素を用いることができる。
液体洗浄剤中、漂白成分の含有量は、液体洗浄剤の総質量に対して０．１〜５質量％が好ましく、１〜４質量％がより好ましい。過酸化水素の含有量が、前記の好ましい下限値以上であると、高い漂白効果が得られやすい。一方、前記の好ましい上限値以下であると、液安定性を良好に維持できる。例えば、液体洗浄剤を容器に充填して保存した際、容器の膨張が生じにくい。
【００６４】
・金属捕捉成分について
本発明の液体洗浄剤においては、漂白成分として過酸化水素を用いる際、金属捕捉成分を併用することが好ましい。これにより、過酸化水素の分解が抑制される。
かかる金属捕捉成分としては、ホスホン酸系金属捕捉成分が好ましく、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等が挙げられる。
これらの中でも、１−ヒドロキシエタン−１，１−ジホスホン酸、エチレンジアミンテトラキスメチレンホスホン酸が好ましい。
金属捕捉成分は、１種を単独で用いてもよく、２種以上を併用してもよい。
液体洗浄剤中、金属捕捉成分の含有量は、液体洗浄剤の総質量に対して０．０５〜３質量％が好ましく、より好ましくは０．１〜３質量％であり、さらに好ましくは０．３〜３質量％である。金属捕捉成分の含有量が前記の好ましい範囲内であると、液外観がより良好となり、液体洗浄剤の安定性及び漂白成分の安定性が共に向上する。
【００６５】
・ラジカルトラップ剤について
本発明の液体洗浄剤においては、漂白成分として過酸化水素を用いる際、ラジカルトラップ剤を併用することが好ましい。これにより、過酸化水素の分解が抑制される。
ラジカルトラップ剤としては、衣料用洗剤に用いられている従来公知のものが挙げられる。中でも、好ましいラジカルトラップ剤として、他のラジカルトラップ剤に比べてラジカルをトラップする効果が高いことから、フェノール系ラジカルトラップ剤を用いることが好ましい。
フェノール系ラジカルトラップ剤としては、ジメトキシフェノール、カテコール、ヒドロキノン、ｐ−メトキシフェノール、ジブチルヒドロキシトルエン（ＢＨＴ）等が挙げられる。
フェノール系ラジカルトラップ剤は、１種を単独で用いてもよく、２種以上を併用してもよい。
液体洗浄剤中、フェノール系ラジカルトラップ剤の含有量は、液体洗浄剤の総質量に対して０．０１〜６質量％が好ましく、０．０５〜５質量％がより好ましく、０．１〜３質量％が特に好ましい。フェノール系ラジカルトラップ剤の含有量が、前記の好ましい下限値以上であると、過酸化水素の分解が充分に抑制される。一方、前記の好ましい上限値以下であると、結晶の析出や液の分離が生じにくいなど、製剤の安定性がより向上する。
【００６６】
・香料について
本発明の液体洗浄剤においては、商品の付加価値向上等を目的として、芳香のために香量を配合してもよい。
香料としては、香料成分と、香料用溶剤と、香料安定化剤と、を含む香料組成物が挙げられる。香料成分、香料用溶剤及び香料安定化剤には、それぞれ衣料用洗剤に用いられている従来公知のものを適宜組み合わせて用いることができる。
液体洗浄剤中、香料（香料組成物）の含有量は、液体洗浄剤の総質量に対して０．０００１〜１５質量％が好ましく、０．００１〜１０質量％がより好ましい。
【００６７】
・ｐＨ調整剤について
本発明の液体洗浄剤においては、ｐＨ調整剤として、塩酸、硫酸、リン酸等の無機酸；ｐ−トルエンスルホン酸、クエン酸、ホスホン酸誘導体等の有機酸；ホウ酸ナトリウム、水酸化ナトリウム、水酸化カリウム、炭酸ナトリウム、炭酸水素ナトリウム、モノエタノールアミン、ジエタノールアミン、トリエタノールアミン、アンモニア等を用いることができる。ｐＨ調整剤は、１種を単独で用いてもよく、２種以上を併用してもよい。
【００６８】
本発明の液体洗浄剤は、２５℃におけるｐＨが２〜７であることが好ましく、ｐＨ４〜７であることがより好ましく、ｐＨ５〜７であることがさらに好ましい。ｐＨが前記の好ましい範囲にあると、液体洗浄剤の保存安定性がより良好に維持される。
本明細書において、液体洗浄剤のｐＨは、液体洗浄剤を２５℃に調整し、ｐＨメーター（製品名：ＨＭ−３０Ｇ、東亜ディーケーケー（株）製）等により測定される値を示す。
【００６９】
本発明の液体洗浄剤は、容器からの排出性等の観点から、２５℃における粘度が１０〜１０００ｍＰａ・ｓ程度であることが好ましく、より好ましくは８０〜５００ｍＰａ・ｓ程度である。
本明細書において、液体洗浄剤の粘度は、液体洗浄剤を２５℃に調整し、Ｂ型粘度計により測定される値を示す。
【００７０】
本発明の液体洗浄剤は、定法により、溶媒と、（Ａ）成分と、（Ｂ）成分と、（Ｃ）成分と、必要に応じてその他の成分と、を混合することにより製造される。
【００７１】
以上説明した本発明の液体洗浄剤は、油汚れに対して高い洗浄力を有し、かつ、抗菌性能に優れる。
洗浄剤に（Ｂ）成分を配合することにより、被洗物に付着した油汚れ除去効果が高まる。また、（Ａ）成分の配合により、抗菌効果が付与される。しかしながら、（Ｂ）成分に単に（Ａ）成分を加えた場合、（Ａ）成分を用いない場合に比べて、前記油汚れ除去効果が低下するという問題があった。これは、（Ｂ）成分に（Ａ）成分を加えたことによって、被洗物に付着した油汚れを剥離する効果（（Ｂ）成分による作用効果）が得られにくくなったため、と考えられる。
本発明においては、（Ａ）成分及び（Ｂ）成分に、（Ｃ）成分が組み合わされている。これらの（Ａ）〜（Ｃ）成分による相乗的な作用によって、（Ａ）成分による抗菌効果が発揮されつつ、（Ｂ）成分による作用効果も安定に得られるようになる。加えて、（Ａ）〜（Ｃ）成分を含有する本発明の液体洗浄剤は、（Ａ）成分単独による抗菌効果、及び（Ｂ）成分単独による油汚れ除去効果に比べて、いずれも高い抗菌効果と油汚れ除去効果とを奏する。
また、かかる本発明の液体洗浄剤によれば、従来、油汚れを除去することが困難であったポリエステル等の疎水性の化学繊維に対しても、充分な油汚れ除去効果が得られる。
【実施例】
【００７２】
以下に実施例を用いて本発明をさらに詳しく説明するが、本発明はこれら実施例に限定されるものではない。なお、「％」は特に断りがない限り「質量％」を示す。
【００７３】
各例の液体洗浄剤の組成を表１〜３に示した。
本実施例において使用した原料は下記の通りである。
【００７４】
・（Ａ）成分：カチオン界面活性剤
Ａ−１：Ｃ１２カチオン（ドデシルトリメチルアンモニウムメトサルフェート）、分子量３４５．１。
Ａ−２：Ｃ１４カチオン（テトラデシルトリメチルアンモニウムメトサルフェート）、分子量３７３．１。
Ａ−３：塩化ジデシルジメチルアンモニウム、ライオン・アクゾ株式会社製、商品名「アーカード２１０」、分子量４０１．１。
Ａ−４：塩化ベンザルコニウム、ライオン・アクゾ株式会社製、商品名「アーカードＣＢ−５０」、分子量３６１．５。
【００７５】
・（Ｂ）成分：特定の繰り返し単位（ｂ１）とオキシアルキレン単位（ｂ２）とを有するポリマー
Ｂ−１：ソイルリリースポリマー、ドイツ、Ｃｌａｒｉａｎｔ Ｇｍｂ Ｈ製、商品名「ＴｅｘＣａｒｅ  ＳＲＮ−１００」、重量平均分子量３０００、ｐＨ４（２０℃で測定、５質量％水溶液）、粘度３４０ｍＰａ・ｓ（５０℃で測定）、上記式（Ｂ−ｐ１）で表される高分子を含む集合体。
Ｂ−２：ソイルリリースポリマー、ドイツ、Ｃｌａｒｉａｎｔ Ｇｍｂ Ｈ製、商品名「ＴｅｘＣａｒｅ  ＳＲＮ−３００」。重量平均分子量７０００、ｐＨ５（２０℃で測定、５質量％水溶液）、粘度６５０ｍＰａ・ｓ（５０℃で測定）、上記式（Ｂ−ｐ１）で表される高分子を含む集合体。
Ｂ−１、Ｂ−２は、いずれも、上述した「水溶性ポリマー」の条件（すなわち、１リットルビーカー内で、ポリマー１０ｇを、４０℃の条件で、水１０００ｇに添加し、スターラー（太さ８ｍｍ、長さ５０ｍｍ）により１２時間撹拌（２００ｒｐｍ）した後に溶解していること）を満たすものであった。
【００７６】
・（Ｂ’）成分：（Ｂ）成分の比較成分
Ｂ’−１：カルボキシビニルポリマー、住友精化株式会社製、商品名「ＡＱＵＰＥＣ  ＨＶ−５０５ＥＤ」。
【００７７】
・（Ｃ）成分：両性界面活性剤
Ｃ−１：ラウリルジメチルアミノ酢酸ベタイン、分子量２７２。
Ｃ−２：ラウリン酸アミドプロピルベタイン、分子量３４２．５２。
【００７８】
・任意成分
ノニオン界面活性剤：上記一般式（Ｉ）中のＲ４０＝炭素数１２のアルキル基、ｋ＝６であるポリオキシエチレンアルキルエーテルと、Ｒ４０＝炭素数１４のアルキル基、ｋ＝６であるポリオキシエチレンアルキルエーテルとの混合物。
アニオン界面活性剤：アルキルベンゼンスルホン酸ナトリウム。
溶剤：ジエチレングリコールモノフェニルエーテル。
過酸化水素。
金属捕捉成分：１−ヒドロキシエタン−１，１−ジホスホン酸。
ラジカルトラップ剤：ｐ−メトキシフェノール。
香料：特開２００３−２６８３９８号公報の表７〜１４に記載の香料組成物Ａ。
ｐＨ調整剤：水酸化ナトリウム。
水：精製水。
【００７９】
＜液体洗浄剤の調製＞
表１〜３に示す組成の配合成分、配合量（質量％）に従い、下記の製造方法により各例の液体洗浄剤をそれぞれ調製した。表に示す配合量は、配合成分の配合量（純分換算量）を示す。表中、空欄は、その配合成分が配合されていないことを意味する。
また、表中、「（Ｃ）／（Ａ）モル比」は、（Ｃ）成分／（Ａ）成分で表されるモル比と同義であり、液体洗浄剤に含まれる（Ａ）成分の含有量（モル数）に対する、（Ｃ）成分の含有量（モル数）の割合を意味する。
表中、「（Ｃ）／（Ｂ）質量比」は、（Ｃ）成分／（Ｂ）成分で表される質量比と同義であり、液体洗浄剤に含まれる（Ｂ）成分の含有量（質量％）に対する、（Ｃ）成分の含有量（質量％）の割合を意味する。
【００８０】
各例の液体洗浄剤に含まれる共通成分（Ｘ）の組成を以下に示す。
なお、ｐＨ調整剤の配合量を示す「適量」とは、液体洗浄剤のｐＨ（２５℃）を６．０に調整するために配合した量を示す。
水の配合量を示す「バランス」は、液体洗浄剤に含まれる全配合成分の合計の配合量（質量％）が１００質量％となるように加えられる残部を意味する。
共通成分（Ｘ）：溶剤  ０．７質量％、過酸化水素  ３質量％、金属捕捉成分  ０．７５質量％、ラジカルトラップ剤  ０．１質量％、香料  ０．１質量％、ｐＨ調整剤  適量、水  バランス。
【００８１】
（実施例１〜２１、比較例１〜８）
表１〜３に示す組成の配合成分、配合量（質量％）に従い、各例の液体洗浄剤を下記の手順で調製した。
５００ｍＬビーカーに、ノニオン界面活性剤と、アニオン界面活性剤と、（Ｃ）成分と、溶剤と、金属捕捉成分と、ラジカルトラップ剤と、香料と、を入れ、マグネットスターラー（ＭＩＴＡＭＵＲＡ  ＫＯＧＹＯ  ＩＮＣ．）で充分に撹拌しながら、全体量が９０質量部になるように水を加え、さらに充分に撹拌した。続いて、（Ａ）成分を加えて撹拌しながら、２５℃でのｐＨが６．０になるように、適量のｐＨ調整剤を添加した。続いて、（Ｂ）成分と、過酸化水素と、を加えて撹拌しながら、全体量が１００質量部になるように水を加えて液体洗浄剤を得た。
液体洗浄剤のｐＨ（２５℃）は、ｐＨメーター（製品名：ＨＭ−３０Ｇ、東亜ディーケーケー（株）製）を用い、２５℃に調温した溶液に、前記ｐＨメーターの電極を入れ、２分後の値を読み取ることにより測定した。
【００８２】
＜液体洗浄剤の評価＞
各例の液体洗浄剤について、以下に示す評価方法により「油汚れに対する洗浄力」及び「抗菌性能」の評価をそれぞれ行った。その結果を表１〜３に併記した。
【００８３】
［油汚れに対する洗浄力の評価］
１）油汚れ汚垢布の作製
３ｃｍ×３ｃｍに裁断したポリエステルトロピカル布に、ラー油（かどや製油株式会社製）０．０１５ｍＬを滴下し、室温にて２〜３時間風乾したものを油汚れ汚垢布とした。
２）洗浄試験
油汚れ汚垢布５枚のそれぞれに対し、同じ液体洗浄剤を０．１２ｍＬずつ塗布し、５分間静置した。
その後、硬度３°ＤＨ、水温１５℃に調整したイオン交換水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）に、油汚れ汚垢布５枚を入れ、１２０ｒｐｍで１０分間洗浄した（浴比２０倍）。
その後、洗浄後の油汚れ汚垢布５枚を取り出して、洗浄液をある程度除き、該油汚れ汚垢布を２槽式洗濯機（三菱電機株式会社製、ＣＷ−Ｃ３０Ａ１型）の脱水槽で１分間脱水した。
さらに、脱水後の油汚れ汚垢布を、硬度３°ＤＨ、水温１５℃に調整したイオン交換水９００ｍＬを入れたＴｅｒｇ−Ｏ−Ｔｏｍｅｔｅｒ浴中で３分間すすぎ、前記２槽式洗濯機の脱水槽で１分間脱水した。
そして、再度、脱水後の油汚れ汚垢布を、硬度３°ＤＨ、水温１５℃に調整したイオン交換水９００ｍＬを入れたＴｅｒｇ−Ｏ−Ｔｏｍｅｔｅｒ浴中で３分間すすぎ、前記２槽式洗濯機の脱水槽で１分間脱水した後、風乾した。
３）洗浄力の評価
洗浄力は、測色色差計（日本電色社製、商品名ＳＥ２０００） を用い、汚れ付着前の原布（ラー油を滴下する前のポリエステルトロピカル布）、及び洗浄試験前後の油汚れ汚垢布についてＺ値を測定し、下式より洗浄率を算出することにより評価した。かかる評価には、５枚の油汚れ汚垢布について算出した洗浄率の平均値を用いた。この洗浄率の平均値を表１〜３に示す。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
【００８４】
［抗菌性能の評価］
各例の液体洗浄剤０．６ｇと、洗剤（ＪＡＦＥＴ標準洗剤、繊維製品新機能評価協議会指定洗剤）１．２ｇと、を水道水９００ｍＬに添加して洗浄液とした。
予めアルコール消毒したＵ．Ｓ．Ｔｅｓｔｉｎｇ社（米国）のＴｅｒｇ−Ｏ−Ｔｏｍｅｔｅｒを使用し、ここに、滅菌済みの３ｃｍ角ポリエステル布０．４ｇと、滅菌したメリヤス布とを共に入れ、浴比を２０倍とし、１２０ｒｐｍ、２５℃の条件下で洗浄した。かかる洗浄を１０分間行い、次いで１分間脱水し、その後、水道水９００ｍＬで２分間すすぎを行い、１分間脱水した。該脱水後の３ｃｍ角ポリエステル布を、クリーンベンチで、室温にて２４時間乾燥し、試験布とした。
【００８５】
この試験布について、ＪＩＳ  Ｌ１９０２（繊維製品の抗菌性試験方法・抗菌効果）の定量試験法（菌液吸収法）に準じ、下記（ｉ）式により静菌活性値を求めた。そして、下記の評価基準に従い、抗菌性能を評価した。
静菌活性値＝（Ｍｂ−Ｍａ）−（Ｍｄ−Ｍｃ）    ・・・（ｉ）
Ｍａ：試験菌接種直後の標準布の３検体の生菌数の常用対数値の平均値。
Ｍｂ：試験菌接種後の標準布の３５℃、１８時間培養後の３検体の生菌数の常用対数値の平均値。
Ｍｃ：試験菌接種直後の試験布の３検体の生菌数の常用対数値の平均値。
Ｍｄ：試験菌接種後の試験布の３５℃、１８時間培養後の３検体の生菌数の常用対数値の平均値。
標準布：未洗浄の滅菌済みの３ｃｍ金巾布。
試験菌：黄色ブドウ球菌。
抗菌性能の評価基準（◎、○、△を合格とした。）
◎：静菌活性値が３以上。
○：静菌活性値が２．５以上３未満。
△：静菌活性値が２以上２．５未満。
×：静菌活性値が２未満。
【００８６】
【表１】
2015203101.tif 000011
【００８７】
【表２】
2015203101.tif 000012
【００８８】
【表３】
2015203101.tif 000013
【００８９】
表１〜３に示す結果から、本発明を適用した実施例１〜２１の液体洗浄剤は、比較例１〜８の液体洗浄剤に比べて、油汚れに対して高い洗浄力を有し、かつ、抗菌性能に優れていること、が確認できる。